(57)【要約】【課題】低コストで製造できる、ＬＥＤの調光可能なＬＥＤ調光点灯装置を提供する。【解決手段】スイッチ部１０は、つまみ１６と連結し、回転自在の不導体部１５と、根元が不導体部１５に保持され、不導体部１５から互いに離れる方向へ棒状に延びる第１導電部位１１Ａと、各第１導電部位１１Ａの先端と中心で連通する円弧状の第１導電部位１１Ｂと、根元が不導体部１５に保持され、不導体部１５から互いに離れる方向へ棒状に延びる第２導電部位１２Ａと、各第２導電部位１２Ａの先端と中心で連通する円弧状の第２導電部位１２Ｂと、ケーシング１９の側面に円弧状に形成された複数の出力端子１８と、を有する。ユーザはつまみ１６を（例えば４５度や９０度に）回転し、第１導電部位１１Ａ、１１Ｂを変位させることにより、駆動電流を供給して発光させる発光ダイオードＬ１〜Ｌ１０の数を変えることができる。【選択図】図４
2011204424.tif 000002
【特許請求の範囲】
【請求項１】
交流電源に接続する第１導電部位と複数の出力端子とを有するスイッチ部と、
それぞれが並列に前記スイッチ部の各出力端子に接続された複数の整流回路と、
前記複数の整流回路のそれぞれに接続されたＬＥＤと、を備え、
前記スイッチ部は、前記第１導電部位を変位させ、変位した前記第１導電部位の位置に応じて、前記第１導電部位と接続する前記出力端子の数を変える操作部材を有するＬＥＤ調光点灯装置。
【請求項２】
交流電源に接続する第１整流回路と、
前記第１整流回路に接続する第１導電部位と複数の出力端子とを有するスイッチ部と、
それぞれが並列に前記スイッチ部の各出力端子に接続された複数のＬＥＤと、を備え、
前記スイッチ部は、前記第１導電部位を変位させ、変位した前記第１導電部位の位置に応じて、前記第１導電部位と接続する前記出力端子の数を変える操作部材を有するＬＥＤ調光点灯装置。
【請求項３】
人体を感知する人体感知センサと、
前記交流電源から出力された交流電流が入力する制御部と、を備え、
前記スイッチ部は、前記制御部と接続する第２導電部位を有し、
前記操作部材は、前記第２導電部位を変位させ、前記第２導電部位を前記第１導電部位に接続されていない全出力端子に接続し、
前記制御部は、
前記人体感知センサが人体を感知していないとき、前記スイッチ部の前記第２導電部位への前記交流電流の通過を遮断し、
前記人体感知センサが人体を感知したとき、前記スイッチ部の前記第２導電部位に前記交流電流を入力する請求項１に記載のＬＥＤ調光点灯装置。
【請求項４】
人体を感知する人体感知センサと、
前記交流電源から出力された交流電流が入力する制御部と、
前記制御部と接続する第２整流回路と、を備え、
前記スイッチ部は、前記第２整流回路と接続する第２導電部位を有し、
前記操作部材は、前記第２導電部位を変位させ、前記第２導電部位を前記第１導電部位に接続されていない全出力端子に接続し、
前記制御部は、
前記人体感知センサが人体を感知していないとき、前記第２整流回路への前記交流電流の通過を遮断し、
前記人体感知センサが人体を感知したとき、前記第２整流回路に前記交流電流を入力する請求項２に記載のＬＥＤ調光点灯装置。
【発明の詳細な説明】
【技術分野】
【０００１】
この発明は、ＬＥＤの調光を行うＬＥＤ調光点灯装置に関する。
【背景技術】
【０００２】
従来、ｄｕｔｙ制御によってＬＥＤ（Ｌｉｇｈｔ  Ｅｍｉｔｔｉｎｇ  Ｄｉｏｄｅ）の調光を行うＬＥＤ調光点灯装置が用いられている（特許文献１参照）。この特許文献１に示されている従来のＬＥＤ調光点灯装置の構成を、図１を参照して説明する。
【０００３】
図１は、特許文献１に示されているＬＥＤ調光点灯装置９の構成を示す回路図である。ＬＥＤ調光点灯装置９は、ダイオードブリッジ回路ＤＢ９０とトランスＴとチョッパ制御用のスイッチング素子９３とダイオードと平滑コンデンサＣ９０とからなる直流電源回路ＤＣ９０と、白色ＬＥＤアレイ９１と、電球色ＬＥＤアレイ９６と、ＤＵＴＹ制御用のスイッチング素子９２と、スイッチング素子９２、９３を制御する制御回路９４とを備える。
なお、トランスＴの巻き数に関しては２次側を１次側より少なくし、直流電源回路ＤＣ９０がダウンコンバータとなるようにしている。
【０００４】
直流電源回路ＤＣ９０は、商用交流電源ＡＣの出力をダイオードブリッジ回路ＤＢ９０で全波整流し、トランスＴの１次側においてスイッチング素子９３でチョッピングする。さらに、直流電源回路ＤＣ９０は、トランスＴの出力をダイオードで整流した後、コンデンサＣ９０で平滑する。これにより、直流電源回路ＤＣ９０から出力するＤＣ電流が白色ＬＥＤアレイ９１と電球色ＬＥＤアレイ９６とに流れて複数のＬＥＤが発光する。
【０００５】
ここで、当該白色ＬＥＤアレイ９１は、スイッチング素子９２のｏｎ期間のみ電流が流れ、時間当りの平均電流により明るさが決まる。
制御回路９４は、リモコン９５から調光度を示す調光信号が入力される。制御回路９４は、その調光度が暗くなるにつれ、スイッチング素子９２のｏｎ−ｄｕｔｙを小さくするようにｄｕｔｙ制御し、白色ＬＥＤアレイ９１に流れる電流を減少させる。逆に、制御回路９４は、その調光度が明るくなるにつれ、スイッチング素子９２のｏｎ−ｄｕｔｙを大きくするようにｄｕｔｙ制御し、白色ＬＥＤアレイ９１に流れる電流を増加させる。
【０００６】
以上のようにして、特許文献１に示されているＬＥＤ調光点灯装置９は、ｄｕｔｙ制御によって白色ＬＥＤアレイ９１の調光を行っている。
【先行技術文献】
【特許文献】
【０００７】
【特許文献１】特開２００４−１１１１０４号公報
【発明の概要】
【発明が解決しようとする課題】
【０００８】
しかしながら、上述のｄｕｔｙ制御を行うためには、上記制御回路９４をｄｕｔｙ制御可能なＬＳＩで構成したり、上記スイッチング素子９２を電力制御用トランジスタで構成したりしなければならない。即ち、上述のｄｕｔｙ制御を行うために、高価なＬＳＩや電力制御用トランジスタが必要となる。
そのため、上記特許文献１のＬＥＤ調光点灯装置９を含む従来のＬＥＤ調光点灯装置では、ＬＥＤの調光を行う場合、製品コストが高くなってしまうという問題があった。
【０００９】
そこで、この発明の目的は、低コストで製造できる、ＬＥＤの調光可能なＬＥＤ調光点灯装置を提供することにある。
【課題を解決するための手段】
【００１０】
本発明のＬＥＤ調光点灯装置は、前記課題を解決するために以下の構成を備えている。
【００１１】
（１）交流電源に接続する第１導電部位と複数の出力端子とを有するスイッチ部と、
それぞれが並列に前記スイッチ部の各出力端子に接続された複数の整流回路と、
前記複数の整流回路のそれぞれに接続されたＬＥＤと、を備え、
前記スイッチ部は、前記第１導電部位を変位させ、変位した前記第１導電部位の位置に応じて、前記第１導電部位と接続する前記出力端子の数を変える操作部材を有する。
【００１２】
この構成において、交流電源から出力される交流電流はスイッチ部の第１導電部位に入力する。交流電流は、第１導電部位と接続する出力端子に流れ、出力端子に接続された整流回路に入力する。整流回路は、交流電流を整流して直流の駆動電流を生成し、整流回路に接続するＬＥＤに駆動電流を供給する。これにより、ＬＥＤが発光する。
この構成では、ユーザが操作部材を操作し、第１導電部位を変位させる。これにより、変位した第１導電部位の位置に応じて、第１導電部位と接続する出力端子の数が変わる。このため、ユーザは、操作部材を操作することで、駆動電流を供給して発光させるＬＥＤの数を変えることができる。即ち、ユーザは、操作部材を操作することで、ＬＥＤの調光を行うことができる。
よって、この構成では、高価なＬＳＩや電力制御用トランジスタを用いずに、ＬＥＤの調光を行うことができる。従って、この構成によれば、低コストで製造できる、ＬＥＤの調光可能なＬＥＤ調光点灯装置を提供することができる。
【００１３】
（２）交流電源に接続する第１整流回路と、
前記第１整流回路に接続する第１導電部位と複数の出力端子とを有するスイッチ部と、
それぞれが並列に前記スイッチ部の各出力端子に接続された複数のＬＥＤと、を備え、
前記スイッチ部は、前記第１導電部位を変位させ、変位した前記第１導電部位の位置に応じて、前記第１導電部位と接続する前記出力端子の数を変える操作部材を有する。
【００１４】
この構成において、交流電源から出力される交流電流は第１整流回路に入力する。第１整流回路は、交流電源の出力を整流して直流の駆動電流を生成し、スイッチ部の第１導電部位に入力する。駆動電流は、第１導電部位と接続する出力端子に流れ、出力端子に接続されたＬＥＤに供給される。これにより、ＬＥＤが発光する。
この構成では、ユーザが操作部材を操作し、第１導電部位を変位させる。これにより、変位した第１導電部位の位置に応じて、第１導電部位と接続する出力端子の数が変わる。このため、ユーザは、操作部材を操作することで、駆動電流を供給して発光させるＬＥＤの数を変えることができる。即ち、ユーザは、操作部材を操作することで、ＬＥＤの調光を行うことができる。
よって、この構成では、高価なＬＳＩや電力制御用トランジスタを用いずに、ＬＥＤの調光を行うことができる。従って、この構成によれば、低コストで製造できる、ＬＥＤの調光可能なＬＥＤ調光点灯装置を提供することができる。
【００１５】
（３）上記（１）において、人体を感知する人体感知センサと、
前記交流電源から出力された交流電流が入力する制御部と、を備え、
前記スイッチ部は、前記制御部と接続する第２導電部位を有し、
前記操作部材は、前記第２導電部位を変位させ、前記第２導電部位を前記第１導電部位に接続されていない全出力端子に接続し、
前記制御部は、
前記人体感知センサが人体を感知していないとき、前記スイッチ部の前記第２導電部位への前記交流電流の通過を遮断し、
前記人体感知センサが人体を感知したとき、前記スイッチ部の前記第２導電部位に前記交流電流を入力する。
【００１６】
この構成では、ユーザが操作部材を操作して第１導電部位を変位させ、スイッチ部の全出力端子が第２導電部位に接続して第１導電部位に接続されていないスイッチオフ状態にする場面を想定している。
このスイッチオフ状態において、人が人体感知センサに感知された時、交流電流が第２導電部位に入力し、第２導電部位に接続する全出力端子に伝送される。これにより、各出力端子に接続する各整流回路で生成された駆動電流が各ＬＥＤに供給され、全ＬＥＤが発光する。
よって、この構成によれば、人（侵入者など）がスイッチオフ状態の装置本体に近づいた時でも全てのＬＥＤを点灯させることができる。
【００１７】
（４）上記（２）において、人体を感知する人体感知センサと、
前記交流電源から出力された交流電流が入力する制御部と、
前記制御部と接続する第２整流回路と、を備え、
前記スイッチ部は、前記第２整流回路と接続する第２導電部位を有し、
前記操作部材は、前記第２導電部位を変位させ、前記第２導電部位を前記第１導電部位に接続されていない全出力端子に接続し、
前記制御部は、
前記人体感知センサが人体を感知していないとき、前記第２整流回路への前記交流電流の通過を遮断し、
前記人体感知センサが人体を感知したとき、前記第２整流回路に前記交流電流を入力する。
【００１８】
この構成では、ユーザが操作部材を操作して第１導電部位を変位させ、スイッチ部の全出力端子が第２導電部位に接続して第１導電部位に接続されていないスイッチオフ状態にする場面を想定している。
このスイッチオフ状態において、人が人体感知センサに感知された時、交流電流が第２整流回路に入力し、第２整流回路で生成された直流の駆動電流が第２導電部位に入力し、第２導電部位に接続する全出力端子に伝送される。これにより、駆動電流が各出力端子に接続する各ＬＥＤに供給され、全ＬＥＤが発光する。
よって、この構成によれば、人（侵入者など）がスイッチオフ状態の装置本体に近づいた時でも全てのＬＥＤを点灯させることができる。
【発明の効果】
【００１９】
この発明によれば、低コストで製造できる、ＬＥＤの調光可能なＬＥＤ調光点灯装置を提供することができる。
【図面の簡単な説明】
【００２０】
【図１】特許文献１に示されているＬＥＤ調光点灯装置９の構成を示す回路図である。
【図２】本発明の第１の実施形態に係るＬＥＤ調光点灯装置１を部屋Ｒに取り付けたときの様子を示す図である。
【図３】図３（Ａ）は、図２に示すＬＥＤ照明器具１０１の正面図である。図３（Ｂ）は、図２に示すＬＥＤ照明器具１０１の側面図である。図３（Ｃ）は、照明グローブ１００を外したときに露出するＬＥＤ照明器具１０１の内部構成を示す正面図である。
【図４】本発明の第１の実施形態に係るＬＥＤ調光点灯装置１の回路図である。
【図５】図４に示すＬＥＤ調光点灯装置１の直流電源ＤＣ１の回路図である。
【図６】本発明の第１の実施形態に係るＬＥＤ調光点灯装置１においてつまみ１６を４５度回転させて半数のＬＥＤを点灯させたときの回路図である。
【図７】本発明の第１の実施形態に係るＬＥＤ調光点灯装置１においてつまみ１６を９０度回転させて全ＬＥＤを点灯させたときの回路図である。
【図８】図４に示す人体感知センサ６０と制御部５０の動作を示す波形図である。
【図９】本発明の第２の実施形態に係るＬＥＤ調光点灯装置２の回路図である。
【図１０】本発明の他の実施形態に係るＬＥＤ調光点灯装置を部屋Ｒに取り付けたときの様子を示す図である。
【発明を実施するための形態】
【００２１】
《第１の実施形態》
本発明の第１の実施形態に係るＬＥＤ調光点灯装置について各図を参照して説明する。
【００２２】
図２は、本発明の第１の実施形態に係るＬＥＤ調光点灯装置１を部屋Ｒに取り付けたときの様子を示す図である。図３（Ａ）は、図２に示すＬＥＤ照明器具１０１の正面図であり、図３（Ｂ）は、同ＬＥＤ照明器具１０１の側面図である。図３（Ｃ）は、照明グローブ１００を外したときに露出するＬＥＤ照明器具１０１の内部構成を示す正面図である。ＬＥＤ調光点灯装置１は、ＬＥＤ照明器具１０１と、スイッチ部１０とを備える。
【００２３】
ＬＥＤ照明器具１０１は部屋Ｒの天井に取り付けられる。ＬＥＤ照明器具１０１は、半透明なプラスチック等からなる照明グローブ１００と、照明グローブ１００の内部に均等に配置された発光ダイオードＬ１〜Ｌ１０と、発光ダイオードＬ１〜Ｌ１０を保持し、不透明なプラスチック等からなる本体１０２と、を備える。照明グローブ１００は、発光ダイオードＬ１〜Ｌ１０の直線的な光を拡散させ、広範囲に照射させる。
【００２４】
スイッチ部１０は、ＬＥＤ照明器具１０１の本体１０２に取り付けられる。スイッチ部１０は、回転軸となる円柱状の不導体部１５と、不導体部１５と連結され、不導体部１５を回転させるつまみ１６と、不導体部１５を挿入する開口部が上面板に形成された円柱状のケーシング１９と、を備える。不導体部１５、つまみ１６及びケーシング１９の材質は樹脂である。
なお、不導体部１５及びつまみ１６は、本発明の「操作部材」に相当する。
【００２５】
以上の構成では、ユーザが照明グローブ１００を本体１０２から外し、つまみ１６を回転させることで発光ダイオードＬ１〜Ｌ１０の調光を行い、部屋Ｒの明るさを変える。以下、発光ダイオードＬ１〜Ｌ１０の調光を行うＬＥＤ調光点灯装置１の構成について詳述する。
【００２６】
図４は、本発明の第１の実施形態に係るＬＥＤ調光点灯装置１の構成を示す回路図である。図４中のスイッチ部１０に関する図は、ケーシング１９の上面板を外したときに露出する概略構成を示す平面透視図となっている。図５は、図４に示す直流電源ＤＣ１の回路図である。ＬＥＤ調光点灯装置１は、部屋Ｒ内に配置され、焦電素子等で構成される人体感知センサ６０と、交流電源ＡＣ及び人体感知センサ６０に接続する制御部５０と、制御部５０及び交流電源ＡＣに接続するスイッチ部１０と、スイッチ部１０に接続する複数の直流電源ＤＣ１〜ＤＣ１０と、複数の直流電源ＤＣ１〜ＤＣ１０に接続する複数の発光ダイオードＬ１〜Ｌ１０と、を備える。
【００２７】
スイッチ部１０は、図２に示すつまみ１６と連結し、回転自在の不導体部１５と、根元が不導体部１５に保持され、不導体部１５から互いに離れる方向へ棒状に延びる第１導電部位１１Ａと、各第１導電部位１１Ａの先端と中心で連通する円弧状の第１導電部位１１Ｂと、根元が不導体部１５に保持され、不導体部１５から互いに離れる方向へ棒状に延びる第２導電部位１２Ａと、各第２導電部位１２Ａの先端と中心で連通する円弧状の第２導電部位１２Ｂと、ケーシング１９の側面に円弧状に形成された複数の出力端子１８と、を有する。第１導電部位１１Ａ、１１Ｂと第２導電部位１２Ａ、１２Ｂとは同じ形状である。そして、第１導電部位１１Ａは交流電源ＡＣに接続されており、第２導電部位１２Ａは制御部５０に接続されている。
【００２８】
さらに、スイッチ部１０は、図２及び図４に示すように、第１導電部位１１Ａ、１１Ｂを変位させ、変位した第１導電部位１１Ａ、１１Ｂの位置に応じて、第１導電部位１１Ｂと接続する出力端子１８の数を変えるつまみ１６及び不導体部１５を有する。
【００２９】
なお、図４及び後述の図９では、第２導電部位１２Ｂと出力端子１８との間に隙間を少し空けて図示しているが、実際は隙間が存在せず、両者は接する。第１導電部位１１Ｂと出力端子１８との間の隙間も同様に、後述の図６、図７に示すように第１導電部位１１Ｂが回転した際、両者は接する。
また、制御部５０とスイッチ部１０は不図示の制御線で互いに接続されている。スイッチ部１０がオフ状態になった時、電気信号が制御線を介して制御部５０に入力し、制御部５０がオンする。
【００３０】
複数の直流電源ＤＣ１〜ＤＣ１０のそれぞれは、スイッチ部１０の各出力端子１８に並列に接続されている。直流電源ＤＣ１は図５に示すように整流回路ＤＢ１と平滑コンデンサＣ１から構成されている。その他の直流電源ＤＣ２〜ＤＣ１０も直流電源ＤＣ１と同じ整流回路ＤＢ１と平滑コンデンサＣ１から構成されている。
【００３１】
発光ダイオードＬ１〜Ｌ１０のそれぞれは、複数の直流電源ＤＣ１〜ＤＣ１０のそれぞれに１対１で接続されている。
【００３２】
以上の構成において、交流電源ＡＣから出力される交流電流はスイッチ部１０の第１導電部位１１Ａに入力する。交流電流は、第１導電部位１１Ｂと接続する出力端子１８に流れ、出力端子１８に接続された直流電源ＤＣに入力する。直流電源ＤＣは、スイッチ部１０の出力を整流・平滑して直流の駆動電流を生成し、直流電源ＤＣに接続する発光ダイオードＬに駆動電流を供給する。これにより、発光ダイオードＬが発光する。
【００３３】
図６は、本発明の第１の実施形態に係るＬＥＤ調光点灯装置１においてつまみ１６を４５度回転させて半数のＬＥＤを点灯させたときの回路図であり、図７は、同ＬＥＤ調光点灯装置１においてつまみ１６を９０度回転させて全ＬＥＤを点灯させたときの回路図である。
【００３４】
この実施形態では、ユーザが図２に示すつまみ１６を（例えば４５度や９０度に）回転し、第１導電部位１１Ａ、１１Ｂを変位させる。これにより、変位した第１導電部位１１Ａ、１１Ｂの位置に応じて、第１導電部位１１Ｂと接続する出力端子１８の数が変わる（図４、図６、図７参照）。このため、ユーザは、つまみ１６を操作することで、駆動電流を供給して発光させる発光ダイオードＬ１〜Ｌ１０の数を変えることができる。即ち、ユーザは、つまみ１６を操作することで、発光ダイオードＬ１〜Ｌ１０の調光を行うことができる。
【００３５】
よって、ＬＥＤ調光点灯装置１では、高価なＬＳＩや電力制御用トランジスタを用いずに、発光ダイオードＬ１〜Ｌ１０の調光を行うことができる。従って、この実施形態によれば、低コストで製造できる、発光ダイオードＬ１〜Ｌ１０の調光可能なＬＥＤ調光点灯装置１を提供することができる。
【００３６】
次に、ユーザがつまみ１６を操作して第１導電部位１１Ａ、１１Ｂを変位させ、スイッチ部１０の全出力端子１８が第２導電部位１２Ｂに接続され第１導電部位１１Ｂに接続されていないスイッチオフ状態にした場面（図４参照）について説明する。
【００３７】
図８は、図４に示す人体感知センサ６０と制御部５０の動作を示す波形図である。
制御部５０には、交流電源ＡＣから出力された交流電流が入力する（図４参照）。制御部５０は、図８に示すように、人体感知センサ６０が人体を感知していない時、スイッチ部１０の第２導電部位１２Ａへの交流電流の通過を遮断する。このため、スイッチオフ状態では、全発光ダイオードＬ１〜Ｌ１０が消灯状態となる。
【００３８】
しかし、制御部５０は、図８に示すように、人体感知センサ６０が人体を感知した時、スイッチ部１０の第２導電部位１２Ａに交流電流を入力する。そして、制御部５０は第２導電部位１２Ａへの交流電流の入力を、人体感知センサ６０が最後に人体を感知した時から所定時間（この実施形態では６０秒間）が経過するまで継続する。このため、人が人体感知センサ６０に感知された時、交流電流が第２導電部位１２Ａに入力し、第２導電部位１２Ｂに接続する全出力端子１８に伝送される。これにより、各出力端子１８に接続する各直流電源ＤＣ１〜ＤＣ１０で生成された駆動電流が各発光ダイオードＬ１〜Ｌ１０に供給され、全発光ダイオードＬ１〜Ｌ１０が発光する。
【００３９】
よって、このＬＥＤ調光点灯装置１によれば、人（侵入者など）がスイッチオフ状態の装置本体に近づいた時でも全ての発光ダイオードＬ１〜Ｌ１０を点灯させることができる。
【００４０】
また、上記所定時間が経過した後、制御部５０は第２導電部位１２Ａへの交流電流の通過を再び遮断する（図８参照）。そのため、全ての発光ダイオードＬ１〜Ｌ１０が再び消灯状態に戻る。よって、このＬＥＤ調光点灯装置１によれば、全ての発光ダイオードＬ１〜Ｌ１０が自動的に消灯するため、消費電力を削減できる。
【００４１】
《第２の実施形態》
図９は、本発明の第２の実施形態に係るＬＥＤ調光点灯装置２の回路図である。ＬＥＤ調光点灯装置２が図４に示すＬＥＤ調光点灯装置１と相違する点は、直流電源ＤＣ１〜ＤＣ１０の代わりに直流電源ＤＣ２１、ＤＣ２２を備える点である。直流電源ＤＣ２１、ＤＣ２２のそれぞれは、直流電源ＤＣ１と同様に、整流回路と平滑コンデンサからなる。
【００４２】
この構成において、交流電源ＡＣから出力される交流電流は直流電源ＤＣ２１に入力する。直流電源ＤＣ２１は、交流電源ＡＣの出力を整流・平滑して直流の駆動電流を生成し、スイッチ部１０の第１導電部位１１Ａに入力する。駆動電流は、第１導電部位１１Ｂと接続する出力端子１８に流れ、出力端子１８に接続された発光ダイオードＬに駆動電流を抵抗を介して供給される。これにより、発光ダイオードＬが発光する。
【００４３】
この実施形態においても、ユーザが図２に示すつまみ１６を（例えば４５度や９０度に）回転し、第１導電部位１１Ａ、１１Ｂを変位させることで、変位した第１導電部位１１Ａ、１１Ｂの位置に応じて、第１導電部位１１Ｂと接続する出力端子１８の数が変わる（図９、図６、図７参照）。このため、ユーザは、つまみ１６を操作することで、駆動電流を供給して発光させる発光ダイオードＬ１〜Ｌ１０の数を変えることができる。即ち、ユーザは、つまみ１６を操作することで、発光ダイオードＬ１〜Ｌ１０の調光を行うことができる。
【００４４】
よって、この実施形態のＬＥＤ調光点灯装置２においても同様に、高価なＬＳＩや電力制御用トランジスタを用いずに、発光ダイオードＬ１〜Ｌ１０の調光を行うことができる。従って、この実施形態においても、低コストで製造できる、発光ダイオードＬ１〜Ｌ１０の調光可能なＬＥＤ調光点灯装置２を提供することができる。
【００４５】
次に、ユーザがつまみ１６を操作して第１導電部位１１Ａ、１１Ｂを変位させ、スイッチ部１０の全出力端子１８が第２導電部位１２Ｂに接続され第１導電部位１１Ｂに接続されていないスイッチオフ状態にした場面（図９参照）について説明する。
【００４６】
制御部５０には、交流電源ＡＣから出力された交流電流が入力される。制御部５０は、図８に示すように、人体感知センサ６０が人体を感知していない時、直流電源ＤＣ２２への交流電流の通過を遮断する。このため、スイッチオフ状態では、全発光ダイオードＬ１〜Ｌ１０が消灯状態となる。
【００４７】
しかし、制御部５０は、図８に示すように、人体感知センサ６０が人体を感知した時、直流電源ＤＣ２２に交流電流を入力する。そして、制御部５０は直流電源ＤＣ２２への交流電流の入力を、人体感知センサ６０が最後に人体を感知した時から所定時間（この実施形態では６０秒間）が経過するまで継続する。このため、人が人体感知センサ６０に感知された時、直流電源ＤＣ２２で生成された直流の駆動電流が第２導電部位１２Ａに入力し、第２導電部位１２Ｂに接続する全出力端子１８に伝送される。これにより、各出力端子１８に接続する各発光ダイオードＬ１〜Ｌ１０に駆動電流が供給され、全発光ダイオードＬ１〜Ｌ１０が発光する。
【００４８】
よって、このＬＥＤ調光点灯装置２によれば、人（侵入者など）がスイッチオフ状態の装置本体に近づいた時でも全ての発光ダイオードＬ１〜Ｌ１０を点灯させることができる。
【００４９】
また、上記所定時間が経過した後、制御部５０は直流電源ＤＣ２２への交流電流の通過を再び遮断する（図８参照）。そのため、全ての発光ダイオードＬ１〜Ｌ１０が再び消灯状態に戻る。よって、このＬＥＤ調光点灯装置２においても同様に、全ての発光ダイオードＬ１〜Ｌ１０が自動的に消灯するため、消費電力を削減できる。
【００５０】
《他の実施形態》
以上の実施形態では、ＬＥＤを１０個設けているが、実施の際は、ＬＥＤを何個設けても構わない。例えばＬＥＤを１００個設けた場合、ユーザは、ＬＥＤの点灯数を０個〜１００個の間で変えることで、調光度を０％〜１００％の範囲で自由に変えることができる。ただし、第１の実施形態に係るＬＥＤ調光点灯装置１であれば、ＬＥＤの数に応じた直流電源を設ける必要がある。
【００５１】
また、ＬＥＤの配置パターンも図３に示す配置パターンに限らず、その他の配置パターンを採用しても構わない。ただし、ＬＥＤの光が直線的なため、図３に示すように、調光を行った際に消灯したＬＥＤが極力目立たないよう配置するのが好ましい。
【００５２】
また、以上の実施形態では、図２、図３に示すように操作部１０を本体１０２に取り付けているが、実施の際は、図１０に示すようにスイッチ部１０を部屋Ｒの壁に取り付けても構わない。この場合、ユーザは、照明グローブ１００を本体１０２から外すことなく、壁に取り付けられているつまみ１６を回転させることで発光ダイオードＬ１〜Ｌ１０の調光を行い、部屋Ｒの明るさを変える。
【００５３】
なお、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５４】
１…ＬＥＤ調光点灯装置
２…ＬＥＤ調光点灯装置
９…ＬＥＤ調光点灯装置
１０…スイッチ部
１１Ａ、１１Ｂ…第１導電部位
１２Ａ、１２Ｂ…第２導電部位
１５…不導体部
１８…出力端子
１９…ケーシング
５０…制御部
６０…人体感知センサ
９１…ＬＥＤアレイ
９２…スイッチング素子
９３…スイッチング素子
９４…制御回路
９５…リモコン
９６…ＬＥＤアレイ
１００…照明グローブ
１０１…ＬＥＤ照明器具
１０２…本体
ＡＣ…交流電源
ＤＣ１〜ＤＣ１０…直流電源
ＤＣ２１、ＤＣ２２…直流電源
ＤＣ９０…直流電源
Ｌ１〜Ｌ１０…発光ダイオード
Ｒ…部屋
【図１】
2011204424.tif 000003
【図２】
2011204424.tif 000004
【図３】
2011204424.tif 000005
【図４】
2011204424.tif 000006
【図５】
2011204424.tif 000007
【図６】
2011204424.tif 000008
【図７】
2011204424.tif 000009
【図８】
2011204424.tif 000010
【図９】
2011204424.tif 000011
【図１０】
2011204424.tif 000012